(57)【要約】【課題】空気中の浮遊物質を捕集して、周囲の空気を清浄できるようにする。【解決手段】本発明に係る空気清浄機１は、モータ２と、該モータ２の駆動によって回転する回転体３とを備え、該回転体３は、浮遊物質を付着可能に構成された粘着部３１，３１を有する。【選択図】図１
2016097361.tif 000002
【特許請求の範囲】
【請求項１】
モータと、該モータの駆動によって回転する回転体とを備え、該回転体は、空気中の浮遊物質を付着可能に構成された粘着部を有することを特徴とする空気清浄機。
【請求項２】
センサと、該センサの検知信号に基づいて前記モータを駆動する制御部とを備えたことを特徴とする請求項１に記載の空気清浄機。
【請求項３】
前記回転体は、螺旋状を成す帯状のフレキシブルシートであって、一端が前記モータの出力軸に直接又は間接に接続されたフレキシブルシートと、該フレキシブルシートの少なくとも一面に設けられた粘着部としての粘着層を含むことを特徴とする請求項１又は２に記載の空気清浄機。
【請求項４】
前記回転体は、柱状又は筒状の本体を有し、前記粘着部は、本体の外周上に設けられたことを特徴とする請求項１又は２に記載の空気清浄機。
【発明の詳細な説明】
【技術分野】
【０００１】
本発明は、例えば、玄関口、喚起口、窓等の通気性のある箇所に配置される空気清浄機に関する。
【背景技術】
【０００２】
この種の空気清浄機としては、例えば、一面に形成された吸気口、及び他面に形成された排気口を有する箱体と、箱体内に回転自在に設けられたシロッコファンであって、箱体の吸気口から吸引した空気を箱体の排気口に排出するシロッコファンと、該シロッコファンを回転駆動するモータと、吸気口とシロッコファンとの間の空気流路に設けられたフィルタであって、空気中の浮遊物質を集塵するためのフィルタとを備えたものが提供されている（特許文献１参照）。
【先行技術文献】
【特許文献】
【０００３】
【特許文献１】特開２００４−７７０９５号公報
【発明の概要】
【発明が解決しようとする課題】
【０００４】
ところで、上記構成の空気清浄機は、フィルタを用いて空気中の浮遊物質を集塵しているため、フィルタの目よりも小さい空気中の浮遊物質はフィルタを通過してしまう。これに対処すべく、フィルタの目の粗さを小さくしようとすると、フィルタの目詰まりが起こりやすくなる。また、フィルタの目を小さくするのに限界があり、空気中の微少な浮遊物質の通過を十分に阻止できない、という問題がある。
【０００５】
そこで、本発明は、斯かる問題に鑑み、空気中の微少な浮遊物質を捕集し、周囲の空気を清浄することができる空気清浄機を提供することを課題とする。
【課題を解決するための手段】
【０００６】
本発明に係る空気清浄機は、モータと、該モータの駆動によって回転する回転体とを備え、該回転体は、空気中の浮遊物質を付着可能に構成された粘着部を有することを特徴とする。
【０００７】
かかる構成によれば、モータの駆動によって回転体が回転する。これに伴い、粘着部に周囲の空気が触れ、粘着部に空気中の微少な浮遊物質が付着する。これにより、空気中の微少な浮遊物質が捕集され、周囲の空気が清浄される。
【０００８】
また、本発明に係る空気清浄機の一態様として、センサと、該センサの検知信号に基づいて前記モータを駆動する制御部とを備えることが好ましい。
【０００９】
かかる構成によれば、制御部は、センサの検知信号に基づいてモータを駆動させるため、モータが必要なときのみに駆動する。したがって、モータのエネルギー消費を抑えることができる。
【００１０】
また、本発明に係る空気清浄機の他態様として、前記回転体は、螺旋状を成す帯状のフレキシブルシートであって、一端が前記モータの出力軸に直接又は間接に接続されたフレキシブルシートと、該フレキシブルシートの少なくとも一面に設けられた前記粘着部としての粘着層を含むことが好ましい。
【００１１】
かかる構成によれば、フレキシブルシートは撓みやすいため、モータの回転時に当該フレキシブルシート（回転体）が揺れ動く。したがって、フレキシブルシートの少なくとも一面に設けられた粘着層に対して、空気の触れる機会が多くなり、より多くの空気中の微少な浮遊物質が捕集され、周囲の空気がより一層清浄される。
【００１２】
また、本発明に係る空気清浄機の他態様として、前記回転体は、柱状又は筒状の本体を有し、前記粘着部は、本体の外周上に設けられることが好ましい。
【００１３】
かかる構成によれば、粘着部が柱状又は筒状の本体と同心で回転する。これにより、粘着部が周囲の空気に触れ、粘着部に空気中の微少な浮遊物質が付着する。したがって、粘着部が回転することによって、空気中の微少な浮遊物質が捕集されて、周囲の空気が清浄される。
【発明の効果】
【００１４】
本発明によれば、空気中の微少な浮遊物質を捕集し、周囲の空気を清浄することができる、という優れた効果を奏し得る。
【図面の簡単な説明】
【００１５】
【図１】図１は、本発明の第一実施形態に係る空気清浄機の正面図。
【図２】図２は、本発明の第二実施形態に係る空気清浄機の斜視図。
【図３】図３は、本発明の第三実施形態に係る空気清浄機の斜視図。
【図４】図４は、図３の粘着部を示す断面図。
【図５】図５は、本発明の第四実施形態に係る空気清浄機の斜視図。
【図６】図６は、本発明の他実施形態に係る空気清浄機の概略図。
【図７】図７は、本発明の他実施形態に係る空気清浄機の概略図。
【図８】図８は、本発明の他実施形態に係る空気清浄機の概略図。
【発明を実施するための形態】
【００１６】
以下、本発明の実施形態に係る空気清浄機について、図面を参照しつつ説明する。
【００１７】
（第一実施形態）
まず、本発明の第一実施形態に係る空気清浄機について説明する。本実施形態の空気清浄機は、室内に吊り下げるタイプのもので、図１に示す如く、モータ２と、該モータ２によって回転する回転体３と、センサ４と、該センサ４の検知信号に基づいてモータ２を駆動する制御部５とを備える。
【００１８】
回転体３は、螺旋状を成す帯状のフレキシブルシート３０と、該フレキシブルシート３０の少なくとも一面に設けられた粘着部としての粘着層３１であって、空気中の浮遊物質を付着させる粘着剤を含む粘着層３１とを備える。本実施形態では、粘着層３１は、フレキシブルシート３０の両面に設けられている。粘着剤としては、例えばアクリル樹脂系の粘着剤が使用される。また、回転体３は、モータ２の出力軸２ａに連結される回転軸３０ａであって、フレキシブルシート３０の一端が接続された回転軸３０ａを備える。
【００１９】
センサ４は、空気清浄機１Ａが取り付けられている部屋に入った人の熱を感知する人感センサである。該センサ４は、制御部５に対して、モータ２を駆動するためのオン信号を出力するように構成されている。このセンサ４は、モータ２のケーシング上に取り付けられている。
【００２０】
制御部５は、センサ４の検知信号を受信してモータ２を駆動するタイマー（図示せず）を有する。この制御部５は、モータ２のケーシング上に取り付けられている。
【００２１】
つぎに、上記構成の空気清浄機の使用態様について説明する。上記空気清浄機１Ａは、モータ２を回転体３よりも上方に位置させ、モータ２を部屋の天井等に吊り下げた状態で使用される。そして、上記空気清浄機１Ａにおいて、部屋に人が入ってきたときに、人の熱をセンサ４が感知して検知信号を制御部５に出力する。
【００２２】
制御部５のタイマーはセンサ４の検知信号に基づいて作動する。そうすると、制御部５は、モータ２を所定時間駆動する。これにより、回転体３が回転して、回転体３の粘着部３１，３１が回転体３の回転軸３０ａを中心にして回転する。フレキシブルシート３０は撓みやすく、モータ２の回転時にフレキシブルシート（回転体３）３０が揺れ動く。したがって、フレキシブルシート３０の粘着層３１，３１に対して、周囲の空気の触れる機会が多くなり、粘着部３１，３１に空気中の微少な浮遊物質が捕集され、周囲の空気が清浄される。
【００２３】
（第二実施形態）
次に、本発明の第二実施形態に係る空気清浄機について説明する。本実施形態の空気清浄機は、室内に設置されるタイプのもので、図２に示す如く、モータ２と、センサ４と、該センサ４の検知信号に基づいてモータ２を駆動する制御部５と、支持台６と、該支持台６に回転可能に支持された回転体７とを備える。
【００２４】
支持台６は、回転体７の両端部を回転可能に支持する一対の支持部６０，６０と、該両支持部６０，６０を接続する接続部６１とを備える。各支持部６０は軸受け６２を有する。
【００２５】
回転体７は、本体７００と、該本体７００の両端に連結された一対の支持体７５，７５であって、支持台６の軸受け６２に回転可能に支持される回転軸７５０を有する一対の支持体７５，７５を備える。該支持体７５の回転軸７５０はモータ２の出力軸２ａに連結される。
【００２６】
本体７００は、外観が筒状で、自身の回転中心の延びる方向に所定の間隔をおいて配置された複数の環状の支持体７０と、該支持体７０の周方向に間隔をあけて配置された複数の羽根７１であって、前記回転中心の延びる方向で隣り合う支持体７０同士を連結する複数の羽根７１を有する。
【００２７】
各羽根７１は、羽根本体７２と、該羽根本体７２に積層された粘着部としての粘着層７３であって、空気中の浮遊物質を付着させる粘着剤を含む粘着層７３とを備える。羽根本体７２の断面は円弧状で、その円弧面が回転体７の回転方向に沿うように配置されている。粘着剤としては、例えばアクリル樹脂系の粘着剤が使用される。
【００２８】
次に、上記構成の空気清浄機の使用態様について説明する。上記空気清浄機１Ｂにおいては、人の熱をセンサ４が感知し、制御部５は、センサ４から出力される検知信号に基づいて空気清浄機１Ｂのモータ２を所定時間駆動する。これにより、モータ２の駆動に伴って本体７００が回転して、複数の羽根７１とともに粘着層７３が回転する。空気に回転する複数の羽根７１の粘着層７３が接触するようになり、複数の羽根７１の粘着層７３に空気中の浮遊物質が捕集され、周囲の空気が清浄される。
【００２９】
（第三実施形態）
次に、本発明の第三実施形態に係る空気清浄機について説明する。本実施形態の空気清浄機は、室内に吊り下げるタイプのもので、図３に示す如く、モータ２と、センサ４と、該センサ４の検知信号に基づいてモータ２を駆動する制御部５と、モータ２によって回転する回転体８とを備える。
【００３０】
回転体８は、本体８０と、該本体８０の上端に配置された支持体８１であって、モータ２の出力軸２ａに連結される回転軸８１０を有する支持体８１と、本体８０の外周上に設けられた複数の羽根８２とを備える。
【００３１】
本体８０は、筒状で、本体８０の外周には、回転中心の延びる方向に複数の挿入溝８００が形成されている。
【００３２】
挿入溝８００は、断面Ｔ字形状で、本体８０の径方向に対して直交方向に形成された第一挿入部８００ａと、該第一挿入部８００ａの中央部から本体８０の周縁部に延びる方向（径方向）に形成された第二挿入部８００ｂとを有する。
【００３３】
羽根８２は、図４に示す如く、挿入溝８００に抜き差し可能な支持体８２０と、該支持体８２０に支持されるフレキシブルシート８２１と、フレキシブルシート８２１の少なくとも一面に設けられた粘着部としての粘着層８２２であって、空気中の微少な浮遊物質を付着させる粘着剤を含む粘着層８２２とを備える。本実施形態では、粘着層８２２は、フレキシブルシート８２１の両面に設けられ、離型紙８２３が貼り付けられている。粘着剤としては、例えばアクリル樹脂系の粘着剤が使用される。
【００３４】
支持体８２０は、断面がＴ字形状で、第一挿入部８００ａに挿入される第一支持部８２０ａであって、回転中心の延びる方向に設けられた第一支持部８２０ａと、第二挿入部８００ｂに挿入される第二支持部８２０ｂであって、第一支持部８２０ａに対して直交する第二支持部８２０ｂとを備える。
【００３５】
フレキシブルシート８２１は帯状である。フレキシブルシート８２１の一端は、支持体８２０の第二支持部８２０ｂに支持される。フレキシブルシート８２１の他端は、第二支持部８２０ｂが延びる延長線上に配置される。
【００３６】
つぎに、上記構成の空気清浄機の使用態様について説明する。上記空気清浄機１Ｃにおいては、図３に示す如く、回転体８の本体８０の外周上に複数の羽根８２をセットする。すなわち、羽根８２の支持体８２０を本体８０の挿入溝８００に挿入する。具体的には、支持体８２０の第一支持部８２０ａを、挿入溝８００の第一挿入部８００ａに挿入するとともに、支持体８２０の第二支持部８２０ｂを、挿入溝８００の第二挿入部８００ｂに挿入する。
【００３７】
そうすることで、各羽根８２のフレキシブルシート８２１は、本体８０に対して径外方向に配置されるようになる。そして、各羽根８２のフレキシブルシート８２１の両面に貼り付けられた剥離紙８２３，８２３を剥がして、フレキシブルシート８２１の粘着層（両面）８２２，８２２を露出させる。これにより、本体８０への羽根８２のセットが完了する。
【００３８】
本体８０に羽根８２をセットした後、モータ２を本体８０よりも上方に位置させ、モータ２を部屋の天井等に吊り下げる。そうすると、部屋に人が入ってきたときに、人の熱をセンサ４が感知して検知信号を制御部５に出力する。
【００３９】
そして、検知信号に基づいて回転体８が所定時間回転すると、フレキシブルシート８２１は、モータ２の回転時に撓みつつ揺れ動く。したがって、フレキシブルシート８２１の粘着層８２２，８２２に対して、周囲の空気の触れる機会が多くなり、粘着層８２２，８２２に空気中の微少な浮遊物質が捕集され、周囲の空気が清浄される。
【００４０】
（第四実施形態）
次に、本発明の第四実施形態に係る空気清浄機について説明する。本実施形態の空気清浄機は、室内に吊り下げるタイプのもので、図５に示す如く、モータ２と、センサ４と、該センサ４の検知信号に基づいてモータ２を駆動する制御部５と、モータ２によって回転する回転体１０を備えた点である。
【００４１】
回転体１０は、本体１００と、本体１００の上端に配置された支持体１２であって、モータ２の出力軸２ａに連結される回転軸１２０を有する支持体１２と、本体１００の外周上に設けられた羽根１１とを備える。
【００４２】
本体１００は、筒状で、本体１００の周面には、周方向に等間隔に複数の開口１００ａが形成されている。この開口１００ａは、本体１００の内部に空気を通過させる。
【００４３】
羽根１１は、開口１００ａと開口１００ａとの間の本体１００の外周面に一端部が固着されたフレキシブルシート１１０であって、他端部が本体１００の外周面に対して接線方向に延びるように配置されたフレキシブルシート１１０と、該フレキシブルシート１１０の少なくとも一面に設けられた粘着部としての粘着層１１１であって、空気中の微少な浮遊物質を付着させる粘着剤が含まれる粘着層１１１とを備える。本実施形態では、粘着層１１１は、フレキシブルシート１１０の両面に設けられている。粘着剤としては、例えばアクリル系樹脂の粘着剤が使用される。
【００４４】
次に、上記構成の空気清浄機の使用態様について説明する。上記空気清浄機１Ｄにおいては、まず、モータ２を本体１００よりも上方に位置させ、モータ２を部屋の天井等に吊り下げる。そうすると、部屋に人が入ってきたときに、人の熱をセンサ４が感知して検知信号を制御部５に出力する。そして、回転体１０がセンサ４の検知信号に基づいて所定時間回転すると、フレキシブルシート１１０は、回転体１０の回転方向に対して逆方向の空気抵抗を受けるようになり、モータ２の回転時にフレキシブルシート１１０が撓みつつ揺れ動く。したがって、フレキシブルシート１１０の粘着層１１１，１１１に対して、周囲の空気の触れる機会が多くなり、空気中の微少な浮遊物質が捕集され、周囲の空気が清浄される。
【００４５】
さらに、本体１００の開口１００ａの近傍に位置するフレキシブルシート１１０の粘着層１１１は、本体１００の開口１００ａを通って本体１００の内部を通過した空気にも接触するため、空気中の微少な浮遊物質がより多く捕集され、周囲の空気がより一層清浄される。
【００４６】
なお、本発明は、前記実施形態に限定されるものではなく、本発明の要旨を逸脱しない範囲で適宜変更を加え得ることは勿論のことである。
【００４７】
例えば、前記第一実施形態の場合、螺旋状を成す帯状のフレキシブルシート３０を吊り下げるようにしたが、図６に示す如く、回転体３００の外周に帯状のフレキシブルシート３１０を螺旋状に巻回するようにしてもよい。具体的には、回転体３００は、外周に螺旋状に配置された複数の複数の凸部３０１を有する芯体３００Ａと、芯体３００Ａの各凸部３０１に螺旋状に巻き付けられたフレキシブルシート３１０と、該フレキシブルシート３１０の一面に形成された接着層３１１であって、芯体３００Ａの各凸部３０１に接着可能な接着層３１１と、フレキシブルシート３１０の他面に形成された粘着層３１２であって、空気中の微少な浮遊物を付着させる粘着剤を含む粘着部としての粘着層３１２とを備える。粘着剤としては、例えばアクリル樹脂系の粘着剤が使用される。
【００４８】
また、前記第三実施形態の場合、回転体８の本体８０に羽根８２を抜き差し可能に構成するようにしたが、図７に示す如く、回転体８Ａの本体８０Ａに羽根８２を直接固定するようにしてもよい。また、図８に示す如く、所定形状に切断加工された複数の羽根９を本体８０Ａの軸方向に沿って等間隔に配置するようにしてもよい。ここでは、羽根９は、例えば矩形状に切断加工されている。なお、羽根９としては、円形、非円形のいずれであってもよい。
【００４９】
また、前記第一、第三、第四実施形態の場合、室内に回転体３，８，１０を吊り下げるようにしたが、室内に横置きするようにしてもよい。
【００５０】
また、前記各実施形態の場合、センサ４として人感センサを使用したが、戸、扉、窓の開口を開閉する部材を検知するセンサであってもよい。
【符号の説明】
【００５１】
１Ａ〜１Ｇ…空気清浄機、２…モータ、３，７，８，８Ａ，１０，３００…回転体、３０，１１０，３１０、８２１…フレキシブルシート、８０，７００，１００，８０Ａ…本体、４…センサ、３１，７２，３１２…粘着部
【図１】
2016097361.tif 000003
【図２】
2016097361.tif 000004
【図３】
2016097361.tif 000005
【図４】
2016097361.tif 000006
【図５】
2016097361.tif 000007
【図６】
2016097361.tif 000008
【図７】
2016097361.tif 000009
【図８】
2016097361.tif 000010